(57)【要約】【課題】情報端末においてカラオケの演奏と同期した照明効果を実現可能とする。【解決手段】本発明に係る情報端末は、カラオケ装置と通信可能な通信手段と、各種情報を表示可能な表示手段と、カラオケ装置で予約された楽曲の予約状況を受信し、予約されている１または複数の楽曲に対し、照明演出であるライティング形態とそのタイミングを規定したライティング情報を設定する設定処理と、設定処理で設定されたライティング情報と、カラオケ装置の楽曲演奏の進行に同期して受信する同期信号と、に基づいて表示手段を点灯させる照明処理を実行可能な制御手段と、を備えたことを特徴とする。【選択図】図１６
2014197056.tif 000002
【特許請求の範囲】
【請求項１】
カラオケ装置と通信可能な通信手段と、
各種情報を表示可能な表示手段と、
前記カラオケ装置で予約された楽曲の予約状況を受信し、予約されている１または複数の楽曲に対し、照明演出であるライティング形態とそのタイミングを規定したライティング情報を設定する設定処理と、
前記設定処理で設定されたライティング情報と、前記カラオケ装置の楽曲演奏の進行に同期して受信する同期信号と、に基づいて前記表示手段を点灯させる照明処理を実行可能な制御手段と、を備えたことを特徴とする
情報端末。
【請求項２】
前記制御手段は、前記カラオケ装置と共通のアカウント情報に基づいてユーザをログインさせるログイン処理を実行可能とし、
前記設定処理は、ログインしたユーザに関する情報に基づいてライティング情報を設定することを特徴とする
請求項１に記載の情報端末。
【請求項３】
前記設定処理は、予め設定されたパターン毎のライティング情報を選択することを特徴とする
請求項２に記載の情報端末。
【請求項４】
前記制御手段は、前記カラオケ装置と共通のアカウント情報に基づいてユーザをログインさせるログイン処理を実行可能とし、
前記照明処理は、前記情報端末にログインしているユーザが指定した楽曲について、前記表示手段を点灯させないことを特徴とする
請求項２または請求項３に記載の情報端末。
【請求項５】
前記ライティング情報は、楽曲毎に用意された情報であり、前記通信手段を介して前記カラオケ装置もしくはカラオケ用ホスト装置から受信されたものであることを特徴とする
請求項１から請求項４の何れか１項に記載の情報端末。
【請求項６】
前記情報端末は、ユーザが所持するものであることを特徴とする
請求項１から請求項５の何れか１項に記載の情報端末。
【請求項７】
前記情報端末は、前記カラオケ装置のリモコン装置であることを特徴とする
請求項１から請求項５の何れか１項に記載の情報端末。
【請求項８】
カラオケ装置と通信可能な通信手段と、各種情報を表示可能な表示手段とを備える情報端末にて実行可能な情報端末用プログラムにおいて、
前記カラオケ装置で予約された楽曲の予約状況を受信し、予約されている１または複数の楽曲に対し、照明演出であるライティング形態とそのタイミングを規定したライティング情報を設定する設定処理と、
前記設定処理で設定されたライティング情報と、前記カラオケ装置の楽曲演奏の進行に同期して受信する同期信号と、に基づいて前記表示手段を点灯させる照明処理を、前記情報端末に実行させることを特徴とする
情報端末用プログラム。
【請求項９】
各種情報を表示可能な表示手段を備える情報端末と通信可能なカラオケ装置側通信手段と、
予約された楽曲の予約状況を前記情報端末に送信し、予約されている１または複数の楽曲に対し、照明演出であるライティング形態とそのタイミングを規定したライティング情報を設定させる被設定処理と、
楽曲演奏の進行に同期した同期信号を前記情報端末に送信し、前記情報端末の前記表示手段を点灯させる同期信号送信処理を実行可能なカラオケ装置側制御手段と、を備えたことを特徴とする
カラオケ装置。
【発明の詳細な説明】
【技術分野】
【０００１】
本発明は、カラオケ装置での演奏に同期して照明演出を行う情報端末、情報端末用プログラム、並びに、情報端末に対して照明演出を実行させるカラオケ装置に関する。
【背景技術】
【０００２】
従来、カラオケボックスやスナックなどのナイト店では、演奏に合わせて歌唱を楽しむカラオケが行われている。カラオケを行うためのカラオケ装置では、歌詞の背後に背景映像を表示することで、楽曲に応じた演出が行われている。このような背景映像による演出以外に、コンサートのステージと同様、照明を制御する演出も行われている。
【０００３】
特許文献１には、カラオケ装置から逐次受信する音楽連係データに基づいてＬＥＤランプの制御データを生成し、生成した制御データに基づいて各ＬＥＤランプの輝度と色を制御するカラオケ照明システムが開示されている。特許文献２には、ＭＩＤＩ規格で定められたフォーマットにしたがって形成された調光制御データに基づいて調光装置を制御する照明装置が開示されている。
【先行技術文献】
【特許文献】
【０００４】
【特許文献１】特開２０１１−２３２６３８号公報
【特許文献２】特開平３−２６３７９３号公報
【発明の概要】
【発明が解決しようとする課題】
【０００５】
特許文献１、特許文献２に開示されるように、カラオケを行う場では、ＬＥＤランプなどの照明装置を設けておき、カラオケの演奏に同期して照明装置を点灯制御することで、演奏に対応した照明演出を行うことが可能である。
【０００６】
しかしながら、このような照明演出を行うには、店舗側に照明設備が設けられていることが前提であり、照明設備がない場合、照明演出を行うことはできない。また、店舗側では照明設備を設けることはコスト上の負担となる。
【０００７】
本発明はこのような照明演出を行う際の事情を鑑みたものであり、スマートフォン、タブレット端末、携帯電話、リモコン装置の画面を照明演出用の照明手段として利用することで、既存の照明設備を必要とすることなく照明演出を利用したカラオケを楽しむことを可能とするものである。
【課題を解決するための手段】
【０００８】
そのため本発明に係る情報端末は以下の構成を採用することを特徴としている。
本発明に係る情報端末は、
カラオケ装置と通信可能な通信手段と、
各種情報を表示可能な表示手段と、
前記カラオケ装置で予約された楽曲の予約状況を受信し、予約されている１または複数の楽曲に対し、照明演出であるライティング形態とそのタイミングを規定したライティング情報を設定する設定処理と、
前記設定処理で設定されたライティング情報と、前記カラオケ装置の楽曲演奏の進行に同期して受信する同期信号と、に基づいて前記表示手段を点灯させる照明処理を実行可能な制御手段と、を備えたことを特徴とする。
【０００９】
さらに本発明に係る情報端末において、
前記制御手段は、前記カラオケ装置と共通のアカウント情報に基づいてユーザをログインさせるログイン処理を実行可能とし、
前記設定処理は、ログインしたユーザに関する情報に基づいてライティング情報を設定することを特徴とする。
【００１０】
さらに本発明に係る情報端末において、
前記設定処理は、予め設定されたパターン毎のライティング情報を選択することを特徴とする。
【００１１】
さらに本発明に係る情報端末において、
前記制御手段は、前記カラオケ装置と共通のアカウント情報に基づいてユーザをログインさせるログイン処理を実行可能とし、
前記照明処理は、前記情報端末にログインしているユーザが指定した楽曲について、前記表示手段を点灯させないことを特徴とする。
【００１２】
さらに本発明に係る情報端末において、
前記ライティング情報は、楽曲毎に用意された情報であり、前記通信手段を介して前記カラオケ装置もしくはカラオケ用ホスト装置から受信されたものであることを特徴とする。
【００１３】
さらに本発明に係る情報端末において、
前記情報端末は、ユーザが所持するものであることを特徴とする。
【００１４】
さらに本発明に係る情報端末において、
前記情報端末は、前記カラオケ装置のリモコン装置であることを特徴とする。
【００１５】
また本発明に係る情報端末用プログラムは、
カラオケ装置と通信可能な通信手段と、各種情報を表示可能な表示手段とを備える情報端末にて実行可能な情報端末用プログラムにおいて、
照明演出であるライティング形態とそのタイミングを規定したライティング情報と、前記カラオケ装置の楽曲演奏の進行に同期して受信する同期信号と、に基づいて前記表示手段を点灯させる照明処理を、前記情報端末に実行させることを特徴とする。
【００１６】
また本発明に係るカラオケ装置は、
各種情報を表示可能な表示手段を備える情報端末と通信可能なカラオケ装置側通信手段と、
予約された楽曲の予約状況を前記情報端末に送信し、予約されている１または複数の楽曲に対し、照明演出であるライティング形態とそのタイミングを規定したライティング情報を設定させる被設定処理と、
楽曲演奏の進行に同期した同期信号を前記情報端末に送信し、前記情報端末の前記表示手段を点灯させる同期信号送信処理を実行可能なカラオケ装置側制御手段と、を備えたことを特徴とする。
【発明の効果】
【００１７】
本発明に係る情報端末、情報端末用プログラム、カラオケ装置によれば、カラオケを楽しむユーザ自身が所持するスマートフォン、タブレット端末、携帯電話、あるいは、カラオケ店に設置されているリモコン装置といった各種情報端末の画面を演出用の照明手段として利用することで、新たに照明装置を設置する必要なく、照明演出を利用したカラオケ
を楽しむことが可能となる。
【図面の簡単な説明】
【００１８】
【図１】本発明の実施形態に係るカラオケシステムを示す図
【図２】本発明の実施形態に係るトップ画面を示す図
【図３】本発明の実施形態に係るユーザ情報を示す図
【図４】本発明の実施形態に係るユーザに対するサービス処理を示す図
【図５】本発明の実施形態に係る利用ユーザトップ画面を示す図
【図６】本発明の実施形態に係る楽曲確認画面を示す図
【図７】本発明の実施形態に係る情報端末の構成を示す図
【図８】本発明の実施形態に係る情報端末のアプリ選択画面を示す図
【図９】本発明の実施形態に係るログイン画面を示す図
【図１０】本発明の実施形態に係る予約状況画面を示す図
【図１１】本発明の実施形態に係るライティング一括設定画面を示す図
【図１２】本発明の実施形態に係るライティング情報のデータ構成を示す図
【図１３】本発明の実施形態に係るライティング変更タイミングを示す図
【図１４】本発明の実施形態に係る各ライティングパターンを説明するための図
【図１５】本発明の実施形態に係る楽曲指定処理を示すフロー図
【図１６】本発明の実施形態に係る情報端末の通信経路を説明する図
【図１７】本発明の実施形態に係る楽曲演奏処理を示すフロー図
【発明を実施するための形態】
【００１９】
図１は、本発明の実施形態に係るカラオケシステムの構成を示す図である。本実施形態におけるカラオケシステムは、カラオケ装置２（コマンダ）と、リモコン装置１を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００２０】
カラオケボックスなどの店舗に設置されるカラオケ装置２は、楽曲を演奏するための演奏手段として音響制御部２５を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置側記憶手段としてのＨＤＤ３２（ハードディスク）を備える。カラオケ装置２は、ＬＡＮ１００に接続してネットワークに加入するためのカラオケ装置側通信手段としてのインターフェイス部２４を備えている。
【００２１】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対して歌詞テロップを重畳したり、映像効果を付与する映像制御部３１を備えて構成される。
【００２２】
さらに、このカラオケ装置２では、外部に接続されたモニタ４１以外に、タッチパネルモニタ３３に対しても各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。また、カラオケ装置２に対する各種操作は、カラオケ装置２のフロントパネル等に設けられた操作部２１を介して行うことも可能となっている。
【００２３】
本実施形態のタッチパネルモニタ３３は、リモコン装置１の操作手段と同様の操作手段として機能することも可能としている。ユーザはタッチパネルモニタ３３から楽曲を選択して、直接カラオケ装置２に予約をさせるなど、リモコン装置１と同等の操作手段機能を利用することが可能である。
【００２４】
さらに、カラオケ装置２は、各構成を統括して制御するための制御手段として、ＣＰＵにて構成される制御部３０、各種プログラムを実行するにあたって必要となる情報を一時記憶するためのメモリ２７を備えて構成される。
【００２５】
このような構成にてカラオケ装置２は、各種処理を実行することとなるが、カラオケ装置２の主な機能として、楽曲指定処理、楽曲再生処理などを実行可能としている。楽曲指定処理は、ユーザからの指定に基づいて楽曲を指定、予約するための処理であってリモコン装置１と連携して実行される。リモコン装置１から送信された予約情報をメモリ２７に記憶する予約テーブルに登録する。楽曲再生処理は、予約された楽曲を再生させる処理であって、演奏処理と歌詞再生処理とが同期して実行される処理である。
【００２６】
演奏処理は、楽曲データに含まれる演奏データを音響制御部２５にて演奏させる処理である。音響制御部２５にて演奏された楽曲は、歌唱用マイク４４ａ、４４ｂから入力される歌唱音声と一緒にスピーカ４２から放音される。歌詞再生処理は、楽曲データに含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００２７】
一方、リモコン装置１は、予約情報などカラオケ装置２に対して各種指示を送信するとともに、カラオケ装置２あるいはインターネット上に接続されたカラオケ用ホスト（図示せず）から各種情報を受信する。リモコン装置１は、リモコン側表示手段としての表示部１１と、ユーザからの各種入力を受け付ける操作部１７とを備える。また、リモコン装置１は、アクセスポイント１１０に無線接続し、ネットワークに加入するためのリモコン側通信手段としての無線ＬＡＮ通信部１６を備える。
【００２８】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１に対して表示する映像を形成する映像制御部１３、表示する映像情報を一時的に蓄えるビデオＲＡＭ１２、操作部１７からの入力を解釈して制御部１５に伝達する操作処理部１８が含まれている。また、リモコン装置１の表示部１１と操作部１７は一体となってタッチパネル表示画面を形成することとしてもよい。
【００２９】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００３０】
このようなリモコン装置１の構成により、ユーザからの各種入力を操作部１７にて受付けるとともに、映像情報を表示部１１に表示してユーザに対して各種情報を提供するとともに、カラオケ装置２に対して楽曲予約などの各種指示を送信することが可能とされている。
【００３１】
図２は、本発明の実施形態に係るトップ画面、すなわち、リモコン装置１を起動した直後の画面を示す図である。本実施形態では、リモコン装置１の表示部１１に表示を行うことで、リモコン装置１を操作するユーザに対して各種情報を提供する。なお、リモコン装置１の操作部１７としては、カーソルキーなどの各種機械的なスイッチの他、表示部１１に表示されたボタン、アイコンなどを直接タッチして操作を行うタッチパネルを採用することができる。
【００３２】
本実施形態のカラオケシステムは、複数のユーザが各リモコン装置１のタッチパネル表示画面から必要な情報（後述するユーザ識別情報やパスワード）を入力し、ログインすることが可能となっている。ユーザのログインに関する情報は画面上方に常時表示される。ログインしたユーザの分身像（アバター）を表示するためのログインユーザ欄１０３が設けられている。なお、分身像としては、人、キャラクターを模した像の他、図形や記号など各種形態を採用することができる。
【００３３】
また、アカウントを有していないユーザのためのゲストアイコン１０２、ユーザを切り替えるためのユーザ切替スイッチ１０１が表示されている。ログインしたユーザは、ログインユーザ欄１０３に表示される分身像を選択、あるいは、ユーザ切替スイッチ１０１を操作することで、自分のユーザ情報を利用した各種サービスを受けることが可能となる。また、アカウントを有していないユーザは、ゲストアイコン１０２を操作することで、選曲など一般的なサービスを受けることが可能となっている。なお、ユーザの切替の際には、パスワードなど認証を行うこととしてもよいが、認証を行うことなく簡易に切り替えることとしてもよい。
【００３４】
図３は、各ユーザ毎に、ホスト５に記憶されているユーザ情報を説明するための図である。本実施形態では、ユーザ情報として、個人情報、マイうたテーブル、履歴テーブル、ライティング設定テーブルといった、ユーザに関する各種情報を含んで構成される。ユーザ情報は、カラオケ用ホストの記憶部に予め記憶されている。また、ユーザ情報には、ユーザがリモコン装置１からカラオケ用ホスト５へログインしてこれら情報を利用するためのユーザ識別情報、パスワードが対応付けられている。
【００３５】
個人情報には、ユーザ名（実際の名前に限ったものでなく、ニックネームであってもよい）、性別、年齢、うた年齢などを含んで構成される。これら各種情報は、リモコン装置１、あるいは、インターネットなどのネットワークに接続された図示しないパーソナルコンピュータ、携帯情報端末などにてログインして設定することも可能である。リモコン装置１とカラオケ装置２との対応付け（通称、くくりつけ）が、予め完了されていれば、リモコン装置１の操作部１７から入力された各種情報をカラオケ装置２へ送付し、カラオケ装置２からホスト５へログインしてもよい。
【００３６】
マイうたテーブルは、ユーザによって登録された楽曲を記憶するテーブルであって、楽曲識別情報、音程調整値、過去の歌唱採点情報（最高点、もしくは、過去複数回のもの）などを含んで構成されている。ユーザは、このマイうたテーブルに基づいて、過去に登録したお気に入りの楽曲を呼び出して予約、演奏することが可能となる。その際、登録した音程調整値を利用することで、自分の歌唱にあった音程で演奏（再生）を行うこともできる。
【００３７】
マイアーティストテーブルは、ユーザによって登録されたアーティスト（歌手）を記憶するテーブルであって、歌手識別情報を含んで構成されている。ユーザは、このマイアーティストテーブルに基づいて、登録したお気に入りのアーティストの楽曲（持ち歌、あるいは、関連楽曲）を呼び出して予約、演奏することが可能となる。このマイうたテーブル
の考え方をアーティスト（歌手）に適用したマイアーティストテーブルを設けることとしてもよい。ユーザは、マイアーティストテーブルに基づいて、登録したお気に入りのアーティストの楽曲（持ち歌、あるいは、関連楽曲）を呼び出して予約、演奏することが可能となる。
【００３８】
履歴テーブルは、ユーザが過去に演奏した楽曲に関する各種情報を記録した情報であって、本実施形態では、過去に演奏した（当該ユーザが予約、演奏した）楽曲について、楽曲の楽曲識別情報、演奏した日時を示す歌唱日時、採点情報などを含んで構成されている。ユーザは、この履歴テーブルに基づいて、過去に演奏した楽曲を呼び出して歌唱することができる。
【００３９】
ライティング設定テーブルは、情報端末で実行されるライティングプログラムにおいて、各楽曲毎にユーザが設定したライティング形態が登録されるテーブルである。本実施形態のライティングプログラムは、スマートフォン、タブレット端末、携帯電話といった個人が所有する情報端末を、カラオケ利用時における照明効果に利用することとしている。スマートフォン、タブレット端末、携帯電話といった情報端末は、近年、画面の大型化が図られている。これら個人が所有する情報端末の画面を照明効果に利用することで、カラオケの場を盛り上げることが可能となる。
【００４０】
本実施形態のライティング設定テーブルは、楽曲識別情報に対応付けてライティング形態とタイミングを対とする情報が複数登録されている。ユーザは、楽曲に関するライティング設定をこのライティング設定テーブルに登録しておくことで、当該楽曲の演奏時、登録してあるライティング設定を使用することが可能である。
【００４１】
図４は、カラオケシステムとカラオケ用ホスト間におけるユーザ情報の送受信の様子、並びに、カラオケシステムと情報端末の連携の関係を示した図である。カラオケ店舗に来店したユーザは、自己のユーザ識別情報とパスワードで構成された識別情報を入力、あるいは、リモコン装置１などに設けられたＩＣカードリーダーでＩＣカードに記憶されている識別情報を読み取らせることで認証処理Ｓ１０１を実行する。ユーザの識別情報を読み取った、カラオケ装置２あるいはリモコン装置１は、識別情報をカラオケ用ホスト５に送信し（Ｓ１０２）、識別情報を受信したカラオケ用ホスト５は記憶部５１に記憶されたデータベースから、該当するユーザのユーザ情報を抽出し（Ｓ１２１）、問い合わせのあったカラオケ装置２あるいはリモコン装置１に対して送信する（Ｓ１２２）。
【００４２】
ユーザ情報を受信したカラオケ装置２側では（Ｓ１０３）、リモコン装置１の表示部１１にログインしたユーザのアクティブユーザトップ画面を表示させる。図５には、本発明の実施形態に係るアクティブユーザトップ画面が示されている。この画面に示されるように、複数人がログインした状態ではログインユーザ欄１０３にログインしたユーザの分身像１０３ａ〜１０３ｅ（本実施形態では顔部分）が表示される。またログインユーザ欄１０３中、右端に背景がハイライトで示されるユーザは、アクティブユーザ１０３ｅであって、図に示す状態では、このアクティブユーザ１０３ｅに対するサービス、すなわち、アクティブユーザ１０３ｅのユーザ情報を利用したサービスが実行されている状態となっている。このアクティブユーザトップ画面では、「曲を探す」を選択することで、従来の歌本と同様、歌手名、楽曲名に基づく検索を行うことができる。
【００４３】
ユーザによりログアウトが要求される（Ｓ１０５）とサービス処理を中断し、サービス処理中における各種履歴（ログ）、あるいは、ユーザによる設定変更を反映したユーザ情報をカラオケ用ホスト５に送信する（Ｓ１０６）。ここで、ユーザ情報は、全ての情報を送信することの他、更新された差分だけを送信してもよい。ユーザ情報を受信したカラオケ用ホスト５では（Ｓ１２３）、受信したユーザ情報に基づいて記憶部１に記憶されたデ
ータベースの更新を実行する（Ｓ１２４）。
【００４４】
以上、１ユーザが認証処理（ログイン処理）してから、ログアウトするまでの流れを説明したが、本実施形態のカラオケ装置２、リモコン装置１は、認証された複数人（認証ユーザ）が同時にログインした状態で使用することが可能となっており、図２で説明したユーザインターフェイスを用いることで、サービスを提供するユーザ（アクティブユーザ）を切り替えて使用することが可能となっている。
【００４５】
アクティブユーザとして楽曲を選択した場合、図６に示される楽曲確認画面にて、予約を行う楽曲に間違いがないか、楽曲名、歌手名、歌い出しなどを表示してユーザに確認させる。このとき、選択した楽曲に対して自分の歌唱できる音程（キー）が予め分かっている場合には、「音程設定」を変更することで演奏する際の音程調整値を設定することが可能となっている。キー設定右下の「変更」ボタンを操作することで、音程設定用の画面が表示され音程調整値を設定することができる。
【００４６】
この楽曲確認画面にて「予約」ボタンが操作されると、リモコン装置１からカラオケ装置２に対してユーザ識別情報、楽曲識別情報、音程調整値などを含む予約情報が送信される。受信したカラオケ装置２では、予約情報を予約テーブルに順次追加して、演奏処理を実行する。
【００４７】
次に、本発明の実施形態に係る情報端末５について図を用いて説明する。図７は、本発明の実施形態に係る情報端末５の構成を示す図である。この情報端末５としては、スマートフォン、タブレット端末、携帯電話などを採用することが可能である。この情報端末５に、本発明に係る情報端末用プログラムがインストールされることでライティング処理を実行させることが可能となる。
【００４８】
本実施形態の情報端末５は、ＣＰＵ５１、ＲＡＭ５２、記憶部５３、画像処理部５４、音処理部５６を含んで構成された制御手段を有している。記憶部５３は、ハードディスク、ＳＳＤといった不揮発性の記憶手段である。この記憶部５３には、本実施形態の情報端末用プログラム、そして、情報端末用プログラムで使用する各種データが記憶される。
【００４９】
ＣＰＵ５１は、情報端末５全体を統括して制御する手段であり、記憶部５３に記憶されたプログラム、データに基づいて各種制御を実行する。ＲＡＭ５２には、ＣＰＵ５１の制御によって生成されたデータを一時的に格納する。
【００５０】
音処理部５６は、ＣＰＵ５１の制御によりスピーカ５７に放音させる手段である。また、音処理部５６は、マイクロホン５８と接続され、マイクロホン５８から周囲の音声を取り込み可能としている。
【００５１】
タッチパネル表示手段６３は、画像を表示する表示部６３ｂとその表面あるいは裏面に配設されるタッチパネル６３ａを有して構成されている。タッチパネル６３ａは、静電容量方式などユーザのタッチ位置を認識可能とする各種タイプを採用することが可能である。ＣＰＵ５１は、表示部６３ｂに表示を行うとともに、タッチパネル６３ａからのタッチ入力にて、表示させている画像中のどの部分にタッチ入力されたかを判定することが可能である。
【００５２】
画像処理部５４は、情報端末５の画像関係の入出力を行う手段である。画像処理部５４は、ＣＰＵ５１で形成された画像を表示部６３ｂに表示出力する。そして、画像処理部５４はカメラ５５から画像を取り込む機能を有する。
【００５３】
通信部５９は、携帯無線網や、無線ＬＡＮなどよる無線通信を行うことが可能であり、アクセスポイントと無線通信することで、情報端末５をインターネットに加入させることが可能である。情報端末５はインターネット上のサーバから携帯端末用プログラムを含む各種プログラムをダウンロードすることが可能である。なお、携帯端末用プログラムは、通信回線を利用した形態以外に、外部メモリ（図示せず）からインストールすることとしてもよい。通信部５９には、赤外線通信部、Ｂｌｕｅｔｏｏｔｈ（商標）などの近距離通信手段をさらに設けることとしてもよい。
【００５４】
本実施形態の情報端末５は、入力手段としてタッチパネル６３ａ以外に入力スイッチ２０を備えて構成されている。この入力スイッチ２０には、電源スイッチ、音量調整スイッチ、プログラムに応じて入力用途が変更されるスイッチなど、各種スイッチを設けることが可能である。
【００５５】
本実施形態の情報端末５では、カラオケ用ライティングプログラムをインストールすることで、タッチパネル表示画面６３にて、カラオケ装置２の演奏に同期した照明効果を演出することが可能となっている。図８には、本発明の実施形態に係る情報端末５のアプリ選択画面（ホーム画面）が示されている。タッチパネル表示画面６３の左下には、インストールされたカラオケ用ライティングプロラムを起動するためのアイコン（名称：カラオケライティング）が表示されている。ユーザは、このアイコンをタッチ操作することで、カラオケ用ライティングプログラムを起動することが可能である。
【００５６】
図９には、カラオケ用ライティングプログラムの起動直後の画面が示されている。本実施形態では、図２で説明したユーザ情報と同じアカウントにログインすることで、情報端末５と利用しているカラオケシステムとを連携させることが可能となっている。この画面で入力されたユーザ識別情報とパスワードは、カラオケ用ホストに送信され、カラオケ用ホストでの認証に基づいて、ユーザをログインさせる。
【００５７】
図４に戻り、情報端末５とカラオケシステムとの連携について説明する。図９の画面でログイン処理が実行される（Ｓ１３１）と情報端末５はカラオケ用ホストに対してユーザ識別情報を含むアカウント情報を送信し、カラオケ用ホスト１２１は、受信したアカウント情報に基づいて認証を行う。このとき、カラオケシステム側でも同じユーザ識別情報でログインされている場合、ユーザは、当該カラオケシステムでカラオケを楽しんでいることが予想される。したがって、この当該カラオケシステムで管理する予約テーブルなどの各種情報を、ログインした情報端末５に送信することで、情報端末５にてカラオケシステムにおける予約状況などを確認することが可能である。また、情報端末５から入力された指示は、カラオケ用ホストを介してカラオケシステム側に伝達することも可能である。
【００５８】
情報端末５をアクセスポイント１１０を介して、カラオケ店舗におけるネットワークに参加させることで、情報端末５とカラオケシステム間で直接連携させることも可能であるが、このような連携はセキュリティ上好ましいものとはいえない。また、複数のカラオケ装置２がネットワークに参加するカラオケボックスなどでは、どのカラオケ装置２を利用しているかを情報端末５に特定させる必要もある。本実施形態では、カラオケ用ホストを介在させた形態により、セキュリティ面並びに情報端末５におけるカラオケ装置２の特定の容易化が図られた形態となっている。
【００５９】
このような情報端末５とカラオケシステム間での連携にて、ライティング処理などの各種サービスが情報端末５に対して実行される（Ｓ１３２）。この連携はカラオケ用ライティングプログラムにてログアウトする、もしくは、カラオケ用ライティングプログラムが終了するまで（Ｓ１３３：Ｙｅｓ）実行される。
【００６０】
図１０には、カラオケ用ライティングプログラムにてログインした後、表示される予約状況画面が示されている。本実施形態では、このように同じユーザ識別情報でログインしているカラオケシステムの予約状況が表示される。本実施形態の予約状況画面には、演奏中の楽曲を含め、予約リストに登録された楽曲の楽曲名と予約したユーザ名が、演奏待ちの順に表示されている。
【００６１】
本実施形態では、この予約状況画面に表示される各楽曲毎の「設定」ボタン、もしくは、画面情報に表示される「一括設定」を操作することで楽曲に対する照明効果を設定することが可能となっている。照明効果は、他人が歌唱しているときに場を盛り上げるために利用されることが多い。また、自身が歌唱している場合には、歌唱用マイク４４を把持する、あるいは、歌唱に集中するなどの事情から、情報端末５をかざすなどすることは困難な状況にある。
【００６２】
したがって、本実施形態では、ユーザ自身が予約した楽曲に対しては、照明効果の設定を行うことができない形態となっている。図１０に示す予約状況画面は、Ａさんが所持する情報端末５であってＡさん自身でログインした状態が示されている。画面に示されるようにＡさんが予約した楽曲に対しては「設定」ボタンが表示されておらず、照明効果の設定ができない状態となっている。さらに、Ａさんによって予約された楽曲が演奏される場合、Ａさんの所持する情報端末５では、照明効果に関する処理を実行させないこととしている。
【００６３】
この予約状況画面にて、ユーザは各楽曲、あるいは、全ての楽曲に対して一括で、当該情報端末５で使用する照明効果を設定することが可能である。図１１には、本発明の実施形態に係るライティング一括設定画面が示されている。本実施形態の照明効果に関する設定は、予めカラオケ業者側で用意したいくつかのパターンの中から選択することが可能となっている。
【００６４】
図の例では４つのパターンＡ〜Ｄの中からユーザが好むパターンを選択することが可能である。現在、同じカラオケシステムを利用中のユーザが選択したパターンには、ユーザ名が表示されている。また、まだ選択されていない場合には「空」の文字が表示された状態となっている。照明効果では、複数の情報端末５が連動することで、一層演出効果が図られることが考えられる。本実施形態では、このように既に設定されているパターンにユーザ名を表記することで、各人が異なるパターンを選択できるようにしている。ユーザインターフェイスでは、既に設定されているパターンは選択できないようにしてもよいし、重複して選択可能としてもよい。このようなパターンの設定は、自動で行うこととしてもよい。例えば、設定を行った順で、パターンＡから順に割り付けていくなど、自動でパターンを割り付けることで各人が異なるパターンの照明効果となるようにてもよい。
【００６５】
ライティング一括設定について説明したが、各楽曲に対する設定についても同様にパターンから選択すること、あるいは、各ユーザにて詳細な照明効果を設定することとしてもよい。なお、各楽曲に対して設定したライティング設定は、図３で説明したライティング設定テーブルに登録しておき、以後、読み出して再度利用可能とすることとしてもよい。
【００６６】
図１２には、本発明の実施形態に係るライティング情報のデータ構成が示されている。本実施形態のライティング情報は、各楽曲別に設けられ、カラオケ装置２あるいはカラオケ用ホストにて記憶管理されている。そのためライティング情報には楽曲識別情報が付与されている。
【００６７】
ライティング情報は、各パターンＡ〜Ｄ毎にタイミングとライティング形態が規定されている。タイミングは演奏情報の進行に対応した時間情報であり、演奏処理中、このタイ
ミングの到来に応じて対応する情報端末５にてライティング形態が実行される。ライティング形態としては、明るさ、色、演出が規定されている。明るさは照明効果時、情報端末５の表示部６３ｂの明るさを規定した情報である、色は照明効果時、情報端末５の表示部６３ｂの基準色を規定した情報である。演出は、単一色での表示形態、画面をフラッシュさせる形態、画面をディゾルブさせる形態など、各種演出形態を指定した情報である。情報端末５は、タイミングの到来を判別した際、対応するライティング形態を実行することで、演奏に同期した照明効果を行うことが可能となっている。
【００６８】
ライティング情報中で規定するタイミングには、ＭＩＤクロックや演奏時間などを使用することとしてもよいが、図１３に示す演奏区間に応じたタイミングを採用することで、複数の楽曲に共通したタイミングにて演出を行うことが可能となる。情報端末５は、演奏処理の経過に伴ってＴ１〜Ｔ１０で示す演奏区間の経過を判別する毎に、ライティング形態を変化させることで、前奏、Ａメロ１〜３、間奏、Ｂメロ１〜３、後奏といった演奏区間種別に応じた照明効果を行うことが可能である。また、各楽曲に設定されるタイミングは、図１３に示すような複数の楽曲について共用可能な演奏区間に設定することが可能となる。
【００６９】
図１０において、本人（歌唱者）による予約の場合、歌唱本人が所持する情報端末５では照明効果を実行させないことが好ましいことを述べたが、図１３に示す演奏区間中、前奏、間奏、後奏といった非歌唱区間においては、歌唱本人が所持する情報端末５に対して照明効果処理を実行させることとしてもよい。あるいは、所定時間、歌唱用マイク４４から音声入力が無い場合、歌唱本人が所持する携帯情報端末５に対して照明効果を実行させることとしてもよい。このような形態では、何らかの事情により楽曲の歌唱を行うことができない場合でも、予約を行った歌唱本人による照明演出が可能であり、場の雰囲気をしらけないようにすることが可能となる。
【００７０】
図１４には、本発明の実施形態に係る各パターンでのライティング形態を示す図である。図１１で説明したようにパターンＡ〜Ｄが存在する場合について、その一例を示したものである。１つのパターンＡについてみると、楽曲の演奏の進行に同期してタッチパネル画面６３表示手段６３の画面の様子が変化する様子が分かる。このように本実施形態では、個人が所持する情報端末５をカラオケ利用時における照明効果として利用可能とすることで、歌唱の場を一層盛り上げることが可能となっている。
【００７１】
また、本実施形態では図１１で説明したように複数のパターンの中から選択することが可能となっている。このような複数のパターンを選択した場合、図に示すように複数の情報端末５を同じ表示形態で照明すること（同形態区間）の他、複数の情報端末５が連携して照明を行うことが考えられる（連携形態区間）。この連携形態区間では、破線で囲まれる部分から分かるように、まず、パターンＡで表示されたライティング形態が、パターンＢ→パターンＣ→パターンＤと、順に遷移している。複数の情報端末５を使用して連携形態区間を実行させることで、複数の情報端末５の間でライティング形態が移動する照明効果を演出することが可能となっている。
【００７２】
以上、複数のパターンを有するライティング情報を利用した形態について説明したが、ライティング情報は、図３で説明したユーザ情報を修正する、あるいは、ユーザ情報に基づいて生成することとしてもよい。例えば、ユーザ情報の内、個人情報に含まれる性別、年齢などを使用して、図１２で説明したライティング情報に修正を加える、あるいは、ライティング情報を生成することが考えられる。例えば、性別を利用した場合、男性の場合は寒色系の色を使用する、女性の場合は暖色系の色を使用することが考えられる。また、年齢を使用した場合、年齢が若ければ緑系の色を使用する、老齢であれば茶系の色を使用することが考えられる。このようなユーザ情報の修正、生成は、ライティング情報中の色
のみならず、タイミング、明るさ、演出などに適用することとしてもよい。また、ユーザ情報中で使用する情報も、性別、年齢のみならず、個人情報のうちの他の情報、あるいは、マイうたテーブル、履歴テーブルなど、音楽の嗜好に関する情報を利用することも可能である。
【００７３】
あるいは、ライティング設定テーブルに記録されたライティング情報の設定履歴を利用することとしてもよい。このような形態では、カラオケ用ホストにおいて、複数のユーザ情報中の設定履歴に基づいて、所定期間毎に性別や年齢に応じてライティング情報の人気ランキングを集計し、端末を保有するユーザの性別や年齢で人気の高いライティング情報を推奨することも可能となる。なお、この集計は曲のジャンル毎（演歌、ポップス、ロック、メタル、童謡  等）に行うこととしてもよい。ジャンル毎に集計することで、歌唱している曲の雰囲気に合致した人気の高いライティング情報を推奨することが可能となる。
【００７４】
では、このような情報端末５にて実行される照明効果について、カラオケシステムでの各種処理について説明する。図１５は、本発明の実施形態に係る楽曲指定処理を示すフロー図である。カラオケシステムが起動すると、この楽曲指定処理が実行される。リモコン装置１の入力で確定された予約情報、もしくは、情報端末５にて指定されたライティング設定は、予約関連情報としてカラオケ装置２に送信される。
【００７５】
カラオケ装置２は、このような予約関連情報を受信した場合（Ｓ２０１：Ｙｅｓ）、以降の処理を実行する。受信した予約関連情報が予約情報である場合（Ｓ２０２：予約情報）、当該予約情報を予約テーブルに登録する（Ｓ２０３）。登録された予約情報にて指定される楽曲は、順次、楽曲演奏処理にて演奏される。一方、受信した予約関連情報がライティング設定（Ｓ２０２：ライティング設定）である場合、ライティング設定を行った情報端末５に対してライティング情報を送信する。本実施形態ではカラオケ装置２がライティング情報を情報端末５に対して送信しているが、ライティング情報の送信は、カラオケ用ホストが行うこととしてもよい。
【００７６】
図１６には、本実施形態のカラオケシステム（装置）と、情報端末５の各種通信経路が示されている。本実施形態では、カラオケ装置２とカラオケ用ホストを接続する通信経路Ａ、カラオケ用ホストと情報端末５を接続する通信経路Ｂが設けられている。この通信経路Ａ、Ｂを利用することで、カラオケシステムと情報端末５を連携させることとしてもよいが、さらに、カラオケ店舗内において、カラオケ装置２と情報端末５の間で直接通信可能な通信経路Ｃを利用することとしてもよい。
【００７７】
この通信経路Ｃとしては、情報端末５をカラオケ店舗に設置されるアクセスポイント１１０に無線接続させることの他、カラオケ装置２が備える他の通信手段を利用することが考えられる。この通信手段としては、カラオケ装置２に設けられた赤外線通信部２３を利用して、情報端末５側の通信部５９（この場合、同様に赤外線通信部が設けられる）と赤外線通信することとしてもよい。このようにカラオケ装置２と情報端末５との通信は、近距離通信にて実現することも可能である。近距離通信としては、Ｂｌｏｏｔｏｏｔｈ（商標）を採用することも可能である。
【００７８】
カラオケ用ライティングプログラムにおけるカラオケ装置２と情報端末５との間の連携（情報通信）は、通信経路ＡとＢ、あるいは、通信経路Ｃの何れか一方のみを使用することが考えられるが、一部を通信経路ＡとＢ、を利用し、一部を通信経路Ｃを使用することとしてもよい。例えば、楽曲指定処理における情報端末５へのライティング情報の送信（Ｓ２０４）は、通信経路ＡとＢを使用し、カラオケ装置２における演奏に同期させるための同期信号の送信は通信経路Ｃを使用することが考えられる。このような形態では、通信経路ＡとＢで生じる遅延の発生を抑え、リアルタイムでの同期を行うことが可能である。
【００７９】
図１７には、本発明の実施形態に係る楽曲演奏処理を示すフロー図が示されている。カラオケ装置２は、予約テーブルをチェックし（Ｓ３０１）、予約テーブル中、次に演奏される楽曲がある場合（Ｓ３０２：Ｙｅｓ）、予約情報中に指定されている楽曲識別情報に対応する演奏情報を音声制御部２５に演奏させる。楽曲の演奏は、楽曲終了（Ｓ３０４：Ｙｅｓ）まで継続して実行されることとなるが、その際、演奏の進行に応じてライティング情報中で規定するタイミングが到来したことが判定された場合（Ｓ３０５：Ｙｅｓ）、情報端末５に対して同期信号を送信する（Ｓ３０６）。情報端末５では、同期信号に応じたライティング形態にて表示部６３ｂを点灯させることで、演奏に同期した照明効果を演出することが可能となる。
【００８０】
なお、同期信号は、図１３に示すＴ１〜Ｔ１０の各々のタイミングをカラオケ装置２から情報端末５に知らせる形態以外に、演奏開始時のＴ１のみをカラオケ装置２から情報端末５に知らせる形態としてもよい。後者の場合、情報端末５側の経時に基づき、Ｔ２〜Ｔ１０のタイミングを判定することが可能である。
【００８１】
以上、本実施形態の情報端末５は、ライティング情報に基づき、カラオケ装置２の演奏に同期して、表示部６３ｂを点灯させることで、演奏に同期した照明効果を演出することが可能である。特に、本実施形態では、個人が所有する情報端末５を照明効果のために使用することで、パーソナライズされたカラオケ演出用の照明装置として利用することが可能である。また、情報端末５は、可搬可能な大きさであることが多いため、情報端末５をユーザが振ったりすることが可能であるため、一層の演出効果が期待できる。
【００８２】
また、カラオケを行う状況において比較的大きい画面を有する情報端末としては、リモコン装置１がある。リモコン装置１を本発明における情報端末とし、リモコン装置１の表示部１１にて照明効果を演出させることとしてもよい。リモコン装置１とカラオケ装置２とは、同じネットワーク上で対応付けられているため、演奏進行上での同期を容易に行うことが可能である。
【００８３】
なお、本発明はこれらの実施形態のみに限られるものではなく、それぞれの実施形態の構成を適宜組み合わせて構成した実施形態も本発明の範疇となるものである。
【符号の説明】
【００８４】
１…リモコン装置、１１…表示部、１２…ビデオＲＡＭ、１３…映像制御部、１４…メモリ、１５…制御部、１６…無線ＬＡＮ通信部、１７…操作部、１８…操作処理部、１９…赤外線通信部、２…カラオケ装置（コマンダ）、２１…操作部、２２…操作処理部、２３…赤外線通信部、２４…インターフェイス部、２５…音声制御部、２６…ＭＩＤＩ音源、２７…メモリ、２８…ビデオＲＡＭ、２９…映像再生部、３０…制御部、３１…映像制御部、３２…ＨＤＤ（ハードディスク：記憶部）、３３…タッチパネルモニタ、３４…タッチパネル、３５…表示部、４１…モニタ、４２…スピーカ、４４ａ、４４ｂ…歌唱用マイク、５…情報端末、５１…ＣＰＵ、５２…ＲＡＭ、５３…記憶部、５４…画像処理部、５５カメラ、５６…音処理部、５７…スピーカ、５８…マイクロホン、５９…通信部、６０…入力スイッチ、６１…外部入力端子、６３…タッチパネル表示手段、６３ａ…タッチパネル、６３ｂ…表示部、１００…ＬＡＮ、１１０…アクセスポイント、１２０…ルータ
【図１】
2014197056.tif 000003
【図２】
2014197056.tif 000004
【図３】
2014197056.tif 000005
【図４】
2014197056.tif 000006
【図５】
2014197056.tif 000007
【図６】
2014197056.tif 000008
【図７】
2014197056.tif 000009
【図８】
2014197056.tif 000010
【図９】
2014197056.tif 000011
【図１０】
2014197056.tif 000012
【図１１】
2014197056.tif 000013
【図１２】
2014197056.tif 000014
【図１３】
2014197056.tif 000015
【図１４】
2014197056.tif 000016
【図１５】
2014197056.tif 000017
【図１６】
2014197056.tif 000018
【図１７】
2014197056.tif 000019